(57)【要約】【課題】架空配電線への取付作業が簡易且つ短時間で行え、風等により脱落する恐れのない事故点探査装置用先端金具を提供する。【解決手段】事故点探査装置用先端金具は、中線２０に取り付けられる第１先端金具２と外線２１，２２に取り付けられる第２先端金具３とから構成され、第１先端金具２は、中線２０に掛止可能な第１フック部４と課電端子６を装着可能な第１端子部７を備え、第２先端金具３は、外線に掛止可能な第２フック部１４と課電端子１６を装着可能な第２端子部１７を備える。第１先端金具２には、第２先端金具３を掛止可能なアーム部材１０が設けられ、第２フック部１４はこのアーム部材１０に着脱可能である。架空配電線への取付時には、第２先端金具３を第１先端金具２のアーム部材１０に取り付け、この状態で第１先端金具２を中線２０に取り付ける。その後、第２先端金具３をヤットコ等でアーム部材１０から外して外線に取り付ける。【選択図】図２
2010008220.tif 000002
【特許請求の範囲】
【請求項１】
架空配電線に掛止可能な導電性の第１フック部、及び、前記第１フック部に電気的に接続され、課電用ケーブルに接続された課電端子を装着可能な第１端子部を備えた第１先端金具と、
架空配電線に掛止可能な導電性の第２フック部、及び、前記第２フック部に電気的に接続され、課電用ケーブルに接続された課電端子を装着可能な第２端子部を備えた第２先端金具とを具備し、
前記第１先端金具には、前記第１フック部に対して略垂直に配されたアーム部材が設けられ、前記第２先端金具は前記第２フック部を介して前記アーム部材に着脱自在に掛止可能であることを特徴とする事故点探査装置用先端金具。
【請求項２】
前記第１先端金具の前記アーム部材と前記第１フック部とは、離間部材を介して離して設けられていることを特徴とする請求項１記載の事故点探査装置用先端金具。
【請求項３】
前記第１フック部の巾は、前記第２フック部の巾より広く形成されていることを特徴とする請求項１記載の事故点探査装置用先端金具。
【請求項４】
前記先端金具のフック部には、異なる径の架空配電線を保持可能な複数の保持凹部が設けられていることを特徴とする請求項１記載の探査装置用先端金具。
【請求項５】
請求項１に記載の事故点探査装置用先端金具を複数の架空配電線に取り付ける取付方法において、
前記第１先端金具に設けられたアーム部材に前記第２フック部を掛止させて前記第２先端金具を前記アーム部材に取付け、
この前記第２先端金具が取り付けられた前記第１先端金具を前記架空配電線の１つに前記第１フック部を掛止させて取り付け、
しかる後に、前記第２先端金具を前記アーム部材から外して他の架空配電線に前記第２フック部を掛止させて取り付ける
ことを特徴とする事故点探査装置用先端金具の取付方法。
【発明の詳細な説明】
【技術分野】
【０００１】
この発明は、架空配電線の地絡事故点を検出するために架空配電線に取り付けられる事故点探査装置用先端金具とその取付方法に関する。
【背景技術】
【０００２】
架空配電線に地絡事故が発生した場合に、その事故点を含む区間を健全区間から切り離し、その切り離された事故区間において地絡事故発生点を特定するために、事故点探査装置が用いられる。従来、このような事故点探査装置としては、例えば、下記する特許文献１に示されるような装置が公知となっている。
【０００３】
これは、事故区間の架空配電線に直流電圧を印加する送信器と、この直流電圧の印加をもって架空配電線に流れる直流電流を検出する受信器とを有して構成し、送信器を架空配電線に接続した後に受信器の位置を変えて架空配電線を流れる電流の大きさ又は方向をもって地絡事故の地点を特定するようにしたものである。
【０００４】
特に、送信器は、健全区間から切り離された事故区間の架空配電線の任意の地点に接続されるが、三相架空配電線において地絡事故を探査する場合には、課電用ケーブルを介して送信機に接続された先端金具を各相の架空配電線に取り付ける必要があり、従来においては、この先端金具を課電用ケーブルの先端に設けられたワニ口クリップで構成し、このワニ口クリップを絶縁ヤットコで把持して架空配電線の芯線部やアークホーン金属部などに挟着させるようにしていた（特許文献１  [００１８]欄参照）。
【特許文献１】特開２００３−３５７４０号公報
【発明の開示】
【発明が解決しようとする課題】
【０００５】
しかしながら、上述の構成においては、先端金具を絶縁ヤットコに把持して間接活線作業にて架空配電線に取り付けるようにしていたため、先端金具を架空配電線にうまく挟着させることができなかったり、各相の架空配電線への取り付けに相当の時間を要していた。また、先端金具がワニ口クリップで構成されているため、風や架空配電線の揺れ等で先端金具（ワニ口クリップ）が架空配電線から外れて脱落する恐れもある。特に、ワニ口クリップに課電用ケーブルが接続された課電端子を取り付ける場合には、課電用ケーブルや課電端子の重さがワニ口クリップに掛るため、架空配電線から一層外れ易くなる。
【０００６】
本発明は、かかる事情に鑑みてなされたものであり、架空配電線への取付作業を簡易且つ短時間で行え、また、風等により脱落する恐れのない事故点探査装置用先端金具とその取付方法を提供することを主たる課題としている。
【課題を解決するための手段】
【０００７】
上記課題を達成するために、本発明に係る事故点探査装置用先端金具は、架空配電線に掛止可能な導電性の第１フック部、及び、前記第１フック部に電気的に接続され、課電用ケーブルに接続された課電端子を装着可能な第１端子部を備えた第１先端金具と、架空配電線に掛止可能な導電性の第２フック部、及び、前記第２フック部に電気的に接続され、課電用ケーブルに接続された課電端子を装着可能な第２端子部を備えた第２先端金具とを具備し、前記第１先端金具には、前記第１フック部に対して略垂直に配されたアーム部材が設けられ、前記第２先端金具は前記第２フック部を介して前記アーム部材に着脱自在に掛止可能であることを特徴としている。
【０００８】
したがって、それぞれの先端金具は、フック部と端子部とを有して構成されているため、架空配電線への取付けは、フック部を架空配電線よりも上方に位置させ、その後、フック部を架空配電線に係止するようにフック部を架空配電線の上方から掛り止めれば、先端金具の架空配電線への取り付け作業は完了する。
【０００９】
また、第２先端金具は、自身の第２フック部を第１先端金具のアーム部材に着脱可能としているので、第１先端金具を架空配電線に取り付ける際に、第２先端金具をアーム部材に取り付けておけば、第１先端金具を架空配電線に取り付けた後に第２先端金具をアーム部材から取り外して隣接する他の架空配電線に取り付けることが可能となり、他の架空配電線への第２先端金具の取り付けも容易に行うことが可能となる。
【００１０】
すなわち、上述した事故点探査装置用先端金具を複数の架空配電線に取り付ける場合においては、第１先端金具に設けられたアーム部材に第２フック部を掛止させて第２先端金具を取付け、この第２先端金具が取り付けられた第１先端金具を架空配電線の１つに第１フック部を掛止させて取り付け、しかる後に、第２先端金具を第１先端金具のアーム部材から外して他の架空配電線に第２フック部を掛止させて取り付ければよい。
【００１１】
ところで、第１先端金具のアーム部材に第２先端金具を取り付けた状態で第１先端金具を架空配電線に取り付ける場合には、第２先端金具が第１フック部に近接していると第１先端金具の架空配電線への装着を阻害する場合もあるので、第１先端金具のアーム部材と第１フック部とは、離間部材を介して離して設けるようにしてもよい。
【００１２】
また、第１先端金具は、第２先端金具をアーム部材に取り付けた状態で架空配電線に取り付けられることから、前記第１フック部の強度を確保するために、第１フック部の巾は、前記第２フック部の巾よりも広く形成することが好ましい。
【００１３】
また、各先端金具のフック部には、異なる径の架空配電線が装着できるように、異なる径の架空配電線を保持可能な複数の保持凹部を設けようにしてもよい。
【発明の効果】
【００１４】
以上述べたように、本発明に係る事故点探査装置用先端金具によれば、第１先端金具を架空配電線に掛止可能な第１フック部と課電用ケーブルに接続された課電端子が装着可能な第１端子部とを有して構成し、第２先端金具を架空配電線に掛止可能な第２フック部と課電用ケーブルに接続された課電端子が装着可能な第２端子部とを有して構成し、第２先端金具を第１先端金具に設けられたアーム部材に第２フック部を介して着脱可能としたので、各先端金具は、フック部を架空配電線に引っ掛けることで各架空配電線に取り付けることができ、架空配電線への取付作業が簡易且つ短時間で行え、また、風や架空配電線の振動等により脱落する恐れがなくなる。
【００１５】
また、第２先端金具は、自身の第２フック部を第１先端金具のアーム部材に着脱可能としているので、アーム部材に第２先端金具を取り付けた状態で第１先端金具を架空配電線に取り付けることが可能となり、第１先端金具を架空配電線に取り付けた後に第２先端金具をアーム部材から取り外して隣接する他の架空配電線に取り付ける作業が可能となる。このため、第２先端金具の架空配電線への取り付け作業も容易に行うことが可能となる。
【００１６】
さらに、アーム部材を第１フック部から離間部材を介して離して設ける構成とすれば、アーム部材に第２先端金具を取り付けた状態で第１先端金具を架空配電線に取り付ける場合においても、第１先端金具の架空配電線への取り付けが第２先端金具によって阻害されることがなくなる。
【００１７】
また、第１フック部の巾を第２フック部の巾よりも広く形成することで、第２先端金具が取り付けられる第１先端金具の第１フック部の強度を確保することが可能となる。
さらにまた、先端金具のフック部に異なる径の架空配電線を保持可能な複数の保持凹部を設ける構成とすれば、それぞれの先端金具を異なる径の架空配電線に装着可能となる。
【発明を実施するための最良の形態】
【００１８】
以下、この発明の実施形態について図面により説明する。
【００１９】
図１及び図２において、事故点探査装置用先端金具１の構成例が示されている。この先端金具１は、三相の架空配電線（外線、中線、外線）２０，２１，２２について地絡事故を探査するために用いられるもので、架空配電線（中線）２０に取り付けられる第１先端金具２と、両架空配電線（両外線）２１，２２に取り付けられる第２先端金具３とにより構成されている。
【００２０】
第１先端金具２は、図３にも示されるように、フック状に形成されて架空配電線に引っ掛け易くした導体よりなる第１フック部４と、その第１フック部４の基端に設けられて課電用ケーブル５に接続された課電端子６が螺合等により装着される第１端子部７とを備えている。第１フック部４は、長尺の金属板を中程で折り返して対峙させた対をなす把持片４ａ，４ｂによって構成され、これら把持片４ａ，４ｂの連接している側と反対側を架空配電線を受け入れる開放端としており、一方の把持片４ａの基端部に第１フック部４と電気的に接続された前記第１端子部７が一体に設けられている。
【００２１】
また、第１フック部４には、異なる径の架空配電線を保持可能な保持凹部８が複数設けられている。この例においては、端子部７が設けられていない他方の把持片４ｂに架空配電線の側部を受容する複数の凹部を形成することで構成されているもので、第１フック部４の折り返し部の近傍に設けられて径の小さい架空配電線を把持可能とする小径線用保持凹部８ａと、把持片４ｂの自由端近傍に設けられて径の大きい架空配電線を把持可能とする大径線用保持凹部８ｂとを備えている。また、把持片４ｂの自由端は、対峙する把持片間に架空配電線を誘導しやすくするように外側へ（把持片４ａから遠ざかる側へ）曲げられている。
【００２２】
さらに、第１先端金具２の一方の把持片４ａには、第１フック部４に対して略垂直に配されたアーム部材１０が取り付けられている。このアーム部材１０は、離間部材１１を介して第１フック部４の把持片４ａの背面に固定されており、第１フック部４から離して設けられ、後述する第２先端金具３をアーム部材１０に取り付けた場合に第２先端金具３が第１先端金具２よりも十分に背後へずれるようになっている。この例において、アーム部材１０は、第１フック部４を架空配電線に掛止させた場合にこの架空配電線と略平行になるよう第１フック部４の両側に延設され（離間部材１１から両側に延設され）、両端部に第２先端金具３の第２フック部１４を係止可能とするフック受け部１０ａが対をなす鍔部１２ａ，１２ｂによって画成されている。
【００２３】
また、第２先端金具３は、図４にも示されるように、フック状に形成されて架空配電線に引っ掛け易くした導体よりなる第２フック部１４と、その第２フック部１４の基端に設けられて課電用ケーブル１５に接続された課電端子１６が螺合等により装着される第２端子部１７とを備えている。第２フック部１４は、前記第１先端金具２の第１フック部４と同様の形状に形成され、長尺の金属板を中程で折り返して対峙させた対をなす把持片１４ａ，１４ｂによって構成され、これら把持片１４ａ，１４ｂの連接している側と反対側を架空配電線を受け入れる解放端としており、一方の把持片１４ａの基端部に第２フック部１４と電気的に接続された前記第２端子部１７が一体に設けられている。
【００２４】
また、他方の把持片１４ｂには、異なる径の架空配電線を保持可能な保持凹部１８が複数設けられている。この例においては、端子部７が設けられていない他方の把持片１４ｂに架空配電線の側部を受容する複数の凹部を形成することで構成されているもので、第２フック部１４の折り返し部の近傍に設けられて径の小さい架空配電線を把持可能とする小径線用保持凹部１８ａと、把持片１４ｂの自由端近傍に設けられて径の大きい架空配電線を把持可能とする大径線用保持凹部１８ｂとを備えている。また、把持片１４ｂの自由端は、対峙する把持片間に架空配電線を誘導しやすくするように外側へ（把持片１４ａから遠ざかる側へ）曲げられている。
【００２５】
さらに、第２先端金具３の一方の把持片１４ａの背面には、ヤットコ等で把持可能な被把持部１３と、その下方に固定され、背面に対して略垂直方向に突設されたリング状の脱落防止リング１９とを備えている。この脱落防止リング１９は、図５に示されるように、絶縁ヤットコ２５の一方のアーム２５ａを挿通して被把持部１３にあてがい、絶縁ヤットコ２５の他方のアーム２５ｂを外側から回して被把持部１３にあてがうことができる程度の大きさに形成されている。
【００２６】
尚、各課電端子６，１６の下部（先端金具に装着する側と反対側）には、共用操作棒２６の先端に設けられた工具取付部２６ａを挿着可能とする筒状の連結部６ａ，１６ａが設けられている。この連結部６ａ，１６ａには、工具取付部２６ａの径方向に突設された係止ピン２６ｂを導入する略Ｔ字状に形成されたガイド溝６ｂ，１６ｂが形成され、このガイド溝６ｂ，１６ｂの終端部には、係止ピン２６ｂをツイストロックさせるための係止凹部が形成されている。
【００２７】
また、前記第１先端金具２のフック部４の幅（Ａ）は、第２先端金具３のフック部１４の幅（Ｂ）よりも広く形成され、第１先端金具２と第２先端金具３とは、第１先端金具２のアーム部材１０の両側に設けられたフック受け部１０ａに第２先端金具３のフック部１４を係止させ、第２先端金具３の保持凹部１８（この例においては、大径線用保持凹部１８ｂ）でフック受け部１０ａを保持することにより組み付け可能となっている。
【００２８】
以上の構成において、三相の架空配電線２０，２１，２２で地絡事故点を探査する場合には、事故区間の各相の架空配電線に送信器から電圧を印加するために先端金具を各架空配電線に取り付ける作業が必要となるが、上述した先端金具は、以下の手順で架空配電線に取り付けられる。
【００２９】
先ず、図示しない送信器に課電用ケーブル５，１５を介して接続された課電端子６，１６を各先端金具２，３（１つの第１先端金具２と２つの第２先端金具３）の端子部７，１７に螺合させる等により装着すると共に、第２先端金具３のフック部１４を第１先端金具２のアーム部材１０のフック受け部１０ａに掛止し、第２先端金具３を第１先端金具２と共に持ち運びできる状態とする。この状態において、第２先端金具３は、アーム部材１０の鍔部１２ａ，１２ｂにより、アーム部材１０への位置決めがなされ、また、アーム部材１０からの脱落が防止される。
その後、第１先端金具２に取り付けられた課電端子６の連結部６ａに共用操作棒２６の工具取付部２６ａをツイストロックにより装着する。
【００３０】
そして、この状態において、共用操作棒２６を持って、図６（ａ）に示されるように、第１先端金具２を第２先端金具３と共に架空配電線（中線）２０の下方から持ち上げ、一旦、第１先端金具２の第１フック部４の解放端を架空配電線（中線）２０よりも上方まで持ち上げ、その後、把持片４ｂが架空配電線（中線）２０を跨ぐように第１フック部４を架空配電線（中線）２０に近付け、しかる後に第１フック部４を下方へ移動させて解放端から架空配電線（中線）２０を把持片間に導く。
【００３１】
そして、図６（ｂ）に示されるように、保持凹部８（この例では大径線用保持凹部８ｂ）に架空配電線（中線）２０を収容し、この収容された架空配電線（中線）２０を第１フック部４の把持片４ａ，４ｂで把持する。これにより第１先端金具２は架空配電線（中線）２０に掛止され、上方へ押し上げない限り脱落することがなくなる。
【００３２】
このようにして、第１先端金具２を架空配電線（中線）２０に取り付けた後に、絶縁ヤットコ２５を一方の第２先端金具３に近づけ、前記図５に示されるように、絶縁ヤットコ２５の一方のアーム部２５ａを脱落防止リング１９に通して被把持部１３にあてがい、他方のアーム部２５ｂを脱落防止リング１９の外側から被把持部１３にあてがい、絶縁ヤットコ２５のアーム部２５ａ，２５ｂで被把持部１３を把持する。そして、被把持部１３を把持したそのまま、絶縁ヤットコ２５を上方へ持ち上げて第２先端金具３のフック部１４を第１先端金具２のアーム部材１０のフック受け部１０ａから外し、そのまま一方の架空配電線（外線）２１へ近づける。
この状態において、第２先端金具３は、脱落防止リング１９に絶縁ヤットコ２５のアーム部の一方が挿通されているので、ヤットコからの脱落が防止される。
【００３３】
そして、一方の架空配電線（外線）２１に近づけた後に、一旦、第２先端金具３の第２フック部１４の解放端を架空配電線（外線）２１よりも上方まで持ち上げ、その後、把持片１４ｂが架空配電線（外線）２１を跨ぐように第２フック部１４を架空配電線（外線）２１に近付け、しかる後に第２フック部１４を下方へ移動させて解放端から架空配電線（外線）２１を把持片間に導く。
【００３４】
これにより、図７（ａ）に示されるように、保持凹部１８（この例では大径線用保持凹部１８ｂ）に架空配電線（外線）２１が収容され、この収容された状態で対をなす把持片１４ａ，１４ｂにより架空配電線（外線）２１が把持される。したがって、第２先端金具３は架空配電線（外線）２１に掛止され、上方へ押し上げない限り脱落することがなくなる。
【００３５】
その後、絶縁ヤットコ２５をアーム部材１０に取り付けられている他方の第２先端金具３に近づけ、前記と同様に、絶縁ヤットコ２５の一方のアーム部２５ａを脱落防止リング１９に通して被把持部１３にあてがい、他方のアーム部２５ｂを脱落防止リング１９の外側から被把持部１３にあてがい、絶縁ヤットコ２５のアーム部２５ａ，２５ｂで被把持部１３を把持する。そして、そのまま絶縁ヤットコ２５を上方へ持ち上げて第２先端金具３のフック部１４を第１先端金具２のアーム部材１０のフック受け部１０ａから外し、そのまま他方の架空配電線（外線）２２へ向かって動かす。
【００３６】
そして、他方の架空配電線（外線）２２に近づけた後に、一旦、第２先端金具３の第２フック部１４の解放端を架空配電線（外線）２２よりも上方まで持ち上げ、その後、把持片１４ｂが架空配電線（外線）２２を跨ぐように第２フック部１４を架空配電線（外線）２２に近付け、しかる後に第２フック部１４を下方へ移動させて解放端から架空配電線（外線）２２を把持片間に導く。
【００３７】
これにより、図７（ｂ）に示されるように、保持凹部１８（この例では大径線用保持凹部１８ｂ）に架空配電線（外線）２２が収容され、この収容された状態で対をなす把持片１４ａ，１４ｂにより架空配電線（外線）２２が把持される。したがって、第２先端金具３は架空配電線（外線）２２に掛止され、上方へ押し上げない限り脱落することがなくなる。
【００３８】
したがって、各先端金具２，３は、フック部４，１４により各架空配電線２０，２１，２２に係止されるので、架空配電線への取付作業を簡易且つ確実に短時間で行うことができ、また、風や架空配電線の振動等によって先端金具２，３が脱落する恐れもなくなる。
【００３９】
また、第１先端金具２は、第２先端金具３をアーム部材１０に取り付けた状態で架空配電線（中線）２０に取り付けるようにしているので、第１先端金具２を架空配電線（中線）２０に取り付けた後に第２先端金具３をアーム部材１０から取り外して隣接する架空配電線（外線）２１，２２に取り付ける作業を行うことで、第２先端金具３の架空配電線（外線）２１，２２への取り付け作業も容易に行うことが可能となる。
【００４０】
特に、アーム部材１０と第１フック部４とが離間部材１１を介して離れているので、第１先端金具２のアーム部材１０に第２先端金具３が取り付けられる場合においても、第１先端金具２を架空配電線（中線）２０に取り付ける際に第２先端金具３が邪魔になることがなくなる。
【００４１】
また、第１フック部４の巾（Ａ）が第２フック部１４の巾（Ｂ）よりも広く形成されているので、第２先端金具３をアーム部材１０に取り付けて架空配電線（中線）２０に取り付けられる場合でも、第１先端金具２の第１フック部４の強度を確保することが可能となる。
さらに、各先端金具２，３のフック部４，１４には、異なる径の架空配電線を保持できるように曲率半径の異なる複数の保持凹部８，１８が設けられているので、それぞれの先端金具を異なる径の架空配電線に装着可能となる。
【００４２】
尚、以上の構成においては、第１先端金具２のアーム部材１０を架空配電線（中線）２０と略平行になるように取り付け、２つの第２先端金具３が架空配電線３０と干渉しないように第１先端金具２のアーム部材１０を第１フック部４から離間部材１１によって離して設けるようにしたが、図８に示されるように、アーム部材１０を架空配電線２０と略垂直に配されるように第１先端金具２の基端部の側部に取り付け、第１先端金具２を架空配電線２０に取り付けた際に、第２先端金具３を取り付けるアーム部材１０のフック受け部１０ａが架空配電線２０の両脇にオフセットして配置されるようにしてもよい。
【図面の簡単な説明】
【００４３】
【図１】図１は、本発明に係る事故点探査装置用先端金具の構成例を示す図であり、（ａ）は第１先端金具のアーム部材に第２先端金具を取り付けた状態を示す正面図を示し、（ｂ）はその側面図を示し、（ｃ）はその背面図を示す。
【図２】図２は、本発明に係る事故点探査装置用先端金具の使用状態を示す斜視図である。
【図３】図３は、本発明に係る事故点探査装置用先端金具の第１先端金具を示す図であり、（ａ）は第１先端金具の正面図を示し、（ｂ）はその側面図を示し、（ｃ）はその背面図を示す。
【図４】図４は、本発明に係る事故点探査装置用先端金具の第２先端金具を示す図であり、（ａ）は第２先端金具の正面図を示し、（ｂ）はその側面図を示し、（ｃ）はその背面図を示す。
【図５】図５は、第２先端金具を絶縁ヤットコで把持する状態を示す斜視図である。
【図６】図６は、本発明に係る事故点探査装置用先端金具を架空配電線へ取り付ける手順を説明する図であり、（ａ）は第１先端金具を自身のアーム部材に第２先端金具を取り付けた状態で架空配電線（中線）に取り付ける過程を説明する斜視図であり、（ｂ）は、第１先端金具を架空配電線（中線）に取り付けた状態を説明する斜視図である。
【図７】図７は、図６の取り付け手順の続きを示す図であり、（ａ）は、アーム部材に取り付けらていた一方の第２先端金具を外して一方の外線に取り付けた状態を示す斜視図であり、（ｂ）は、アーム部材に取り付けらていた他方の第２先端金具を外して他方の外線に取り付けた状態を示す斜視図である。
【図８】図８は、先端金具の他の例を示す斜視図である。
【符号の説明】
【００４４】
１  事故点探査装置用先端金具
２  第１先端金具
３  第２先端金具
４  第１フック部
７  第１端子部
８，１８  保持凹部
８ａ，１８ａ  小径線用保持凹部
８ｂ，１８ｂ  大径線用保持凹部
１０  アーム部材
１１  離間部材
１４  第２フック部
１７  第２端子部
２０．２１．２２  架空配電線
【図１】
2010008220.tif 000003
【図２】
2010008220.tif 000004
【図３】
2010008220.tif 000005
【図４】
2010008220.tif 000006
【図５】
2010008220.tif 000007
【図６】
2010008220.tif 000008
【図７】
2010008220.tif 000009
【図８】
2010008220.tif 000010